(57)【要約】      （修正有）【課題】塩化ビニール製の最終処理時に発生するダイオキシンなどの環境汚染物質の排除を目的に開発する。【解決手段】原料を木材廃棄チップと自然糊などで形成されており、したがって、器形成時においての複数の糊の調合と温度と圧力などの調整により、器が自然の中で風化する期間を設定することができる作用を利用したものである。本植木鉢を使用し、最終処理の段階においての公害物質の発生は全く無く、環境型植木鉢と言えます。【選択図】図１
2005073687.tif 000002
【特許請求の範囲】
【請求項１】
あらかじめ肥料を含んだ、廃棄木材チップ及び一般木材チップ（少し腐食をしたものでも良い）などの原料と、接着材（環境に優しい糊なども含む）を用いて、植木や草花を育てる器（植木鉢）を形成することで、使用後の廃棄物として処理する段階で、器全体が自然の作用で腐食し、さらに、時間経過とともに土壌に浸透する。つまり、大地から生まれ大地に返るなどの作用か生ずる。また、植木を育てる段階においても、器事態が肥料的要素を内蔵していることで腐食とともに植木の肥料になる。
また、糊と原料を混ぜ合わせ、型に投入する形成時において、複数の糊の調合と温度や圧力などの調整により、器が自然の中で風化する期間を設定することのできる作用を利用したものである。などの環境に優しい植木を育てる器（植木鉢）
【請求項２】
請求項１に示した木材チップと、適当に乾燥させ、かつ肥料を含む土を混ぜ合わせ、これらの材料と接着材（環境に優しい糊なども含む）を用いて、植木を育てる器に形成する方法。
【請求項３】
図２に示すものは、従来の植木鉢に用いられるもので、木材チップ、肥料、土を混ぜ合わせた物を接着材及び糊などを用いて、筒状に形成したものが筒形肥料５である。
植物は水捌けの良い所と同時に、水持ちの良い所など、相反した作用の状態を好む性質を併せ持っている、筒形肥料５は構造的にこれらの作用に対しての対応能力にすぐれているなどの筒形肥料。また、この作用は請求項１、２に対しても同様である。
【発明の詳細な説明】
【発明の詳細な説明】
［産業上の利用分野］
【０００１】  苗の植え替えや園芸作業に使用される。したがって、一般農家及び園芸業、さらに、一般家庭と広範囲が予想される。
［従来の技術］
【０００２】  現在において植木鉢は、焼き物と塩化ビニールなどの科学製品が大半をしめていまが、環境対策面から見れば、遅れているのが現状です。
［発明が解決しょうとする課題］
【０００３】  近年、わが国では、あらゆる分野で環境破壊が問題化しています。そんな意味からも、園芸に用いる塩化ビニール製植木鉢の最終処分が課題になっています。焼却処分にすれば、ダイオキシンなどの物質が発生し、埋立処分すれば地中内に悪影響が出てきます。これらの課題を解消するのが本発明の目的である。
［課題を解決するための手段］
【０００４】  本発明の植木鉢の原料は、使えなくなった木材をチップ化したものと接着剤及び糊を成分に形成されている。したがって、使用済みになり、最終処分の段階においては、腐食の作用により地中内に植物の栄養分として吸収されながら大地に返るなどの特徴をもっている。
［発明の作用と形態］
【０００５】  本発明の植木を育てる器（植木鉢）の原料は接着剤（自然に優しい糊）と適当な大きさに加工した木材チップである。したがって、器、形成時においての、複数の糊の調合と温度と圧力などの調整により、器が自然の中で風化する期間を設定することができる作用を利用したもので、ある指定された時季に腐食が始まり、形成された形が崩れ、さらには大地に吸収される、などの特徴をもった植木鉢である。また「ある指定された時季に腐食が始まる」の部分については、かなり大まかな「何月頃から何月頃まで」という数値になる。
次に、本植木鉢は苗木を育て、植え替え時に植木鉢と苗との全体を植え替えるのに効力を発揮するもので、その状態を示したものが図１である。この作用では植え替え作業が簡単、植え替え作業による植木えの負担の軽減、植え替え後の肥料の持続性に優れている。などの特徴をもっている。また、苗木と鉢全体を一般の畑に植え替えても同じ効果を示すのである。
本植木を育てる器（植木鉢）は、鉢を形成する機械的方法ではなく、原料と糊を中心的に開発をしたものである。したがって、成型方法は従来の方法を用いる。
次に、苗木が育ち、植木が大きくなった場合に対応した本発明の鉢では、植木が鉢に長期間滞在することになり、前記に示したものに対して構造的に異なってくる。図３に示したものが、これらに対応した構造をもっている。まず、細かくされた木材チップ、肥料、糊などを原料に形成された本発明の鉢１の外部に、耐水性をもった厚紙又は天然樹脂６を覆い被せるように接続した構造である。
これらの構造的効果は、植木を育てるにおいて、月日の経過とともに鉢１の内部から腐食が始まり同時に肥料となる。さらに腐食が進み器としての形が崩れだした状態では、外部に用いた耐水性厚紙などの強度による作用で、鉢全体としては形を保持できるのである。
そして、さらに月日が経過して園芸活動を終了し、鉢の処分時点では、本発明の鉢は全体が形を崩し大地に吸収され、同時に大地に返ったことになる。したがって、本発明の植木鉢は環境を汚染するような物質の発生は全くない、つまり、環境に優しい環境型植木鉢と言えます。
植物の性質には、水捌けを好むと同時に、水持ちの良い場所を好む、など相反した作用を好みます。図２に示すように筒形肥料が木の根に対して適当な距離を保ち、水捌けの良い構造を作っている。さらに、筒形肥料は原料が構造的に水を含みやすい構造になっていて、鉢内部の土が乾きだすと同時に対応して含んだ水分を吐き出し植木に与えるなどの、水持ちが良い構造になっている。
［実施例］
【０００６】  あらかじめ乾燥させた木材チップを適当な大きさに粉砕し、さらに肥料など混ぜ合わせる。次に異なった成分の糊を調合したものと混合させ、型の中に投入する。適当な圧力と温度で乾燥させ器の形に形成する。図１と図２に示す鉢１及び筒形肥料５の形成方法はこの方法を用いる。
次に、図３に示す器の１に示す部分は上記の方法と同じである。したがって、形成された１に示す物体に、耐水性にすぐれた厚紙の原料や自然樹脂などを適当な量、吹き付け乾燥させることで、本発明品である、環境に優しい植木を育てる器（植木鉢）が完成される。
［発明の効果］
【０００７】  さまざまな分野から環境保全に取り組まれています。園芸業界におきましても、環境保全を考慮に入れた開発が望まれます。
本発明植木鉢は、環境破壊を起こさないのを目的に開発された商品である。と同時に、この商品を使うことで、ダイオキシンの発生やホルモンに悪影響を及ぼす物質の発生がなくなり、よりきれいな環境が保たれることになります。
発明の品の特徴を要約しますと，
１      自然腐食作用を利用した、環境に優しい植木鉢。
２      植物の性質である、水捌け、水持ち、などの相反する作用に対応した能力をもっている。
３      器としての能力と肥料としての能力を併せ持っている。
【図面の簡単な説明】
【図１】  苗木を使用した場合の鉢の断面図
【図２】  通常の植木鉢に本発明商品を使用する鉢の断面図
【図３】  比較的に長時間使用する場合の鉢の断面図
【符号の説明】
１    …    本発明の植木鉢
２    …    植木
３    …    土
４    …    通常の植木鉢
５    …    筒形肥料
６    …    耐水性紙
７    …    水抜き穴
８    …    木の根
９    …    土
１０    …    水捌けの良い土、砂
１１    …    小さい石
【図１】
2005073687.tif 000003
【図２】
2005073687.tif 000004
【図３】
2005073687.tif 000005